(57)【要約】      （修正有）【課題】他人により糞尿袋の内容物を視認されることを防止することで、着用者の抱く不快感を軽減すると共に、袋内部の内容物の観察を容易にできる糞尿袋を提供する。【解決手段】袋本体部３０と、該袋本体部の表面部に設けられ、袋本体部内を視認不可能な状態で被覆する被覆部１１とを備え、上記被覆部は部分的に被覆状態を開放して袋本体部内を視認しうるフラップ状の開放部１２を有する。【選択図】図２
0003175719.tif 000002
【実用新案登録請求の範囲】
【請求項１】
糞尿袋であって、袋本体部と、上記袋本体部の表面部に設けられ、袋本体部内を視認不可能な状態で被覆する被覆部とを備え、上記被覆部は部分的に被覆状態を開放して袋本体部内を視認しうるフラップ状の開放部を有することを特徴とする糞尿袋。
【請求項２】
上記被覆部は、上記袋本体部の表面部に貼設されたシート部材により形成されていることを特徴とする請求項１記載の糞尿袋。
【請求項３】
上記シート部材は上記袋本体部の表面部と同一の形状に形成され、上記開放部は上記シート部材の一部により形成されていることを特徴とする請求項２記載の糞尿袋。
【請求項４】
上記袋本体部は、上記開放部の端部を上記袋本体部に着脱可能に固定しうる固定部を備えていることを特徴とする請求項３記載の糞尿袋。
【請求項５】
上記固定部は、上記開放部と対向するフラップ状の固定片であることを特徴とする請求項４記載の糞尿袋。
【請求項６】
袋本体部は平面略長方形状に形成され、上記開放部は長さ方向一端部に形成され、上記開放部により被覆された視認部には、上記袋本体部の長さ方向に沿って目盛が設けられると共に、幅方向端部には少量の内容物を計測しうる斜線目盛が設けられていることを特徴とする請求項４又は５記載の糞尿袋。
【考案の詳細な説明】
【技術分野】
【０００１】
本考案は、糞尿袋の改良に関する。
【背景技術】
【０００２】
一般に、病院等で使用されている糞尿袋は、糞尿の色や量を外部から観察することができるように、透明の樹脂材等で形成されている。
【０００３】
そのため、従来の糞尿袋は、糞尿袋の内容物が他人の目に触れ易く、着用者のプライバシーを損ね、また、着用者に対し、不快感を与えるものであった。
【０００４】
この点、特許文献１に示されるように無色透明の袋のおもて面に茶色に印刷された有色部分等を印刷することで、糞尿袋の内部の尿の色等を、容易に視認されることを防止し、着用者のプライバシーを保護しようとするものもある。
【０００５】
しかしながら、特許文献１に示された考案においては、性状確認窓から常に、内容物が視認することができるため、着用者に与える不快感を完全には払拭することができないという不都合が生じる。
【特許文献１】実用新案登録第３１６６２６５号
【考案の開示】
【考案が解決しようとする課題】
【０００６】
そこで、本考案の課題は、他人により糞尿袋の内容物を視認されることを防止することで、着用者の抱く不快感を軽減すると共に、袋内部の内容物の観察を容易にできる糞尿袋を提供することにある。
【０００７】
また、本考案の他の課題は、持ち運びに適した扱いやすい糞尿袋を提供することにある。
【課題を解決するための手段】
【０００８】
請求項１記載の考案に係る糞尿袋においては、袋本体部と、上記袋本体部の表面部に設けられ、袋本体部内を視認不可能な状態で被覆する被覆部とを備え、上記被覆部は部分的に被覆状態を開放して袋本体部内を視認しうるフラップ状の開放部を有することを特徴とする。
【０００９】
従って、請求項１記載の考案にあっては、袋本体部と、上記袋本体部の表面部に設けられ、袋本体部内を視認不可能な状態で被覆する被覆部とを備え、上記被覆部は部分的に被覆状態を開放して袋本体部内を視認しうるフラップ状の開放部を有することから、上記開放部を被覆状態とすることで、糞尿袋の内容物が人目につかず、内容物の観察が必要なときには、上記開放部を開放状態とすることで、内容物を観察することができる。
【００１０】
また、請求項２記載の考案に係る糞尿袋においては、上記被覆部は、上記袋本体部の表面部に貼設されたシート部材により形成されていることを特徴とする。
【００１１】
従って、請求項２記載の考案にあっては、上記被覆部は、上記袋本体部の表面部に貼設されたシート部材により形成されていることから、布等のカバーにより上記袋本体部を被覆する場合に比べて、上記袋本体部が嵩張ることなく、上記被覆部及び開放部を設けることができ、上記開放部を被覆状態とすることで、糞尿袋の内容物が人目につかず、内容物の観察が必要なときには、上記開放部を開放状態とすることで、内容物を観察することができる。
【００１２】
また、請求項３記載の考案に係る糞尿袋においては、上記シート部材は上記袋本体部の表面部と同一の形状に形成され、上記開放部は上記シート部材の一部により形成されていることを特徴とする。
【００１３】
従って、請求項３記載の考案にあっては、上記シート部材は上記袋本体部の表面部と同一の形状に形成され、上記開放部は上記シート部材の一部により形成されていることから、袋本体部の表面は上記シート部材により完全に被覆され、被覆状態においては、内容物が視認されることを完全に防ぐことができる。
【００１４】
また、請求項４記載の考案に係る糞尿袋においては、上記袋本体部は、上記開放部の端部を上記袋本体部に着脱可能に固定しうる固定部を備えていることを特徴とする。
【００１５】
従って、請求項４記載の考案にあっては、上記袋本体部は、上記開放部の端部を上記袋本体部に着脱可能に固定しうる固定部を備えていることから、上記開放部が不意に捲れ、意図せず糞尿袋の内容物を視認されることを防止することができる。
【００１６】
また、請求項５記載の考案に係る糞尿袋においては、上記固定部は、上記開放部と対向するフラップ状の固定片であることを特徴とする。
【００１７】
従って、請求項５記載の考案にあっては、上記固定部は、上記開放部と対向するフラップ状の固定片であることから、簡易な構成により、上記開放部が不意に捲れ、意図せず糞尿袋の内容物を視認されることを防止することができる。
【００１８】
また、請求項６記載の考案に係る糞尿袋においては、袋本体部は平面略長方形状に形成され、上記開放部は長さ方向一端部に形成され、上記開放部により被覆された視認部には、上記袋本体部の長さ方向に沿って目盛が設けられると共に、幅方向端部には少量の内容物を計測しうる斜線目盛が設けられていることを特徴とする。
【００１９】
従って、請求項６記載の考案にあっては、袋本体部は平面略長方形状に形成され、上記開放部は長さ方向一端部に形成され、上記開放部により被覆された視認部には、上記袋本体部の長さ方向に沿って目盛が設けられると共に、幅方向端部には少量の内容物を計測しうる斜線目盛が設けられていることから、開放部を開放状態として、内容物を観察する場合、上記目盛により内容物の量を計測できる。また、内容物が少量で上記目盛により内容物の量を計測し難い場合でも、袋本体を傾けることにより、少量の内容物も計測することができる。
【考案の効果】
【００２０】
請求項１に記載された考案に係る糞尿袋にあっては、袋本体部と、上記袋本体部の表面部に設けられ、袋本体部内を視認不可能な状態で被覆する被覆部とを備え、上記被覆部は部分的に被覆状態を開放して袋本体部内を視認しうるフラップ状の開放部を有することから、上記開放部を被覆状態とすることで、糞尿袋の内容物が人目につかず、内容物の観察が必要なときには、上記開放部を開放状態とすることで、内容物を観察することができる。
その結果、請求項１乃至５記載の考案においては、他人に糞尿袋の内容物を視認され難くなるので、着用者の抱く不快感を軽減すると共に、袋内部の内容物の観察を容易にできる糞尿袋を提供することができる。
【００２１】
請求項２記載の考案に係る糞尿袋にあっては、上記被覆部は、上記袋本体部の表面部に貼設されたシート部材により形成されていることから、請求項１記載の考案の効果に加えて、布等のカバーにより上記袋本体部を被覆する場合に比べて、上記袋本体部が嵩張ることを防止することができる。
その結果、持ち運びに適した扱いやすい糞尿袋を提供することができる。
【００２２】
請求項３記載の考案にあっては、上記シート部材は上記袋本体部の表面部と同一の形状に形成され、上記開放部は上記シート部材の一部により形成されていることから、請求項２記載の考案の効果に加えて、袋本体部の表面は上記シート部材により完全に被覆され、被覆状態においては、内容物が視認されることを完全に防ぐことができる。
【００２３】
請求項４記載の考案に係る糞尿袋にあっては、上記袋本体部は、上記開放部の端部を上記袋本体部に着脱可能に固定しうる固定部を備えていることから、
請求項３記載の考案の効果に加えて、上記開放部が不意に捲れ、意図せず糞尿袋の内容物を視認されることを防止することができる。
【００２４】
請求項５記載の考案に係る糞尿袋にあっては、上記固定部は、上記開放部と対向するフラップ状の固定片であることから、請求項４記載の考案の効果を、より簡易な構成により実現することができる。
【００２５】
請求項６記載の考案に係る糞尿袋にあっては、袋本体部は平面略長方形状に形成され、上記開放部は長さ方向一端部に形成され、上記開放部により被覆された視認部には、上記袋本体部の長さ方向に沿って目盛が設けられると共に、幅方向端部には少量の内容物を計測しうる斜線目盛が設けられていることから、開放部を開放状態として、内容物を観察する場合、上記目盛により内容物の量を計測できる。また、内容物が少量で上記目盛により内容物の量を計測し難い場合でも、袋本体を傾けることにより、少量の内容物も計測することができる。
その結果、袋内部の内容物の観察を容易にできる糞尿袋を提供することができる。
【図面の簡単な説明】
【００２６】
【図１】本考案に係る糞尿袋の第一の実施の形態を示し、実施の形態における糞尿袋の正面図であり、開放部が被覆されている状態を示す図である。
【図２】本考案に係る糞尿袋の第一の実施の形態を示し、実施の形態における糞尿袋の正面図であり、開放部が開放されている状態を示す図である。
【図３】本考案に係る糞尿袋の第一の実施の形態を示し、実施の形態における糞尿袋の平面図であり、開放部が開放されている状態を示す図である。
【図４】本考案に係る糞尿袋の第一の実施の形態を示し、実施の形態における糞尿袋の正面図であり、開放部が開放されている状態を示す図である。
【図５】本考案に係る糞尿袋の第二の実施の形態を示し、実施の形態における糞尿袋の正面図であり、糞尿袋と管部が接続され、開放部が被覆されている状態を示す図である。
【考案を実施するための最良の形態】
【００２７】
以下、添付図面に示す実施の形態に基づき、本考案に係る糞尿袋を詳述する。
【００２８】
図１乃至図４は本考案に係る糞尿袋の第一の実施の形態を示す。
【００２９】
図１乃至図４に示すように、本実施の形態に係る糞尿袋１０は、袋本体部３０と、上記袋本体部３０の表面部に設けられ、袋本体部内を視認不可能な状態で被覆する被覆部１１とを備え、上記被覆部１１は部分的に被覆状態を開放して袋本体部内を視認しうるフラップ状の開放部１２を有する。
【００３０】
図１乃至図４に示すように、本実施の形態に係る糞尿袋１０においては、上記被覆部１１は、上記袋本体部３０の表面部に貼設されたシート部材１３により形成されている。
【００３１】
図１乃至図４に示すように、本実施の形態に係る糞尿袋１０においては、上記シート部材１３は上記袋本体部３０の表面部と同一の形状に形成され、上記開放部１２は上記シート部材１３の一部により形成されている。
【００３２】
図１乃至図４に示すように、本実施の形態に係る糞尿袋１０においては、上記袋本体部３０には、上記開放部１２の端部１４を上記袋本体部３０に着脱可能に固定しうる固定部１５を備えている。
【００３３】
図１乃至図３に示すように、本実施の形態に係る糞尿袋１０においては、上記固定部１５は、上記開放部１２と対向するフラップ状の固定片１６により形成されている。なお、上記固定部１５は、その他に、面ファスナーや、ボタン等の固定具であってもよい。
【００３４】
図１乃至図４に示すように、袋本体部３０は平面略長方形状に形成され、上記開放部１２は、袋本体部３０の長さ方向一端部２０に形成され、上記開放部１２により被覆された視認部１７には、上記袋本体部３０の長さ方向に沿って目盛１８が設けられると共に、幅方向端部には少量の内容物を計測しうる斜線目盛１９が設けられている。
【００３５】
図１、図２、及び図４に示すように、本実施の形態に係る糞尿袋１０においては、上記被覆部１１には絵が印刷されている。なお、絵だけでなく、写真や広告等を印刷してもよい。
【００３６】
図１、図２、及び図４に示すように、上記被覆部１１に印刷された絵においては、濃色、淡色の部分、いずれもが被透明であり、袋本体部３０の内容物は視認することができない状態である。
【００３７】
図２及び図４に示すように、本実施の形態に係る糞尿袋１０においては、袋本体部３０の長さ方向右端部２０に設けられた上記視認部１７を除いた袋本体部３０に、上記シート部材１３が接着されることにより、上記開放部１２が形成される。
【００３８】
図１乃至図４に示すように、上記シート部材１３は、平面略長方形状に形成され、袋本体部３０の長さ寸法の略二倍に形成され、袋本体部３０の周囲を取り囲むことができる長さ寸法を有する。
【００３９】
図２及び図４に示すように、本実施の形態に係る糞尿袋１０においては、上記開放部１２は、上記袋本体部３０の長さ方向右端部２０aに設けられている。
【００４０】
図２及び図４に示すように、上記目盛１８は、上記袋本体部３０の長さ方向に沿って互いに平行に設けられ、上記視認部１７の幅方向の長さ寸法Ｌと同一の長さ寸法を有する。
【００４１】
図２及び図４に示す上記目盛１８は、５００ｍｌ毎の太い目盛ライン１８a、１００ｍｌ毎の細い目盛ライン１８ｂ、により構成されている。
【００４２】
図２及び図４に示すように、上記固定片１６の幅方向の長さ寸法は、上記視認部１７の幅方向の長さ寸法の略五分の一に形成されている。
【００４３】
図２及び図４に示すように、本実施の形態に係る糞尿袋１０においては、上記斜線目盛１９は視認部１７の右角端部２１に設けられている。
【００４４】
図４に示すように、本実施の形態に係る糞尿袋１０においては、上記固定部１５は、粘着性のある物質を塗布した粘着固定部２２を備えている。なお、上記粘着固定部２２に用いる物質は、粘着性及び耐水性を有するものが望ましい。
【００４５】
図４に示された上記粘着固定部２２は、上記袋本体部３０よりも厚く形成され、適度な硬度を有している。
【００４６】
以下、添付図面に示す第一の実施の形態に基づき、本考案に係る糞尿袋の作用について説明する。
【００４７】
図１乃至図４に示すように、本実施の形態に係る糞尿袋１０は、袋本体部３０と、上記袋本体部３０の表面部に設けられ、袋本体部内を視認不可能な状態で被覆する被覆部１１とを備え、上記被覆部１１は部分的に被覆状態を開放して袋本体部内を視認しうるフラップ状の開放部１２を有することから、上記開放部１２を被覆状態とすることで、糞尿袋１０の内容物が人目につかず、内容物の観察が必要なときには、上記開放部１２を開放状態とすることで、内容物を観察することができる。
【００４８】
その結果、他人に糞尿袋の内容物を視認され難くなるので、着用者の抱く不快感を軽減すると共に、袋内部の内容物の観察を容易にできる糞尿袋を提供することができる。
【００４９】
図１乃至図４に示すように、本実施の形態に係る糞尿袋１０においては、上記被覆部１１は、上記袋本体部３０の表面部に貼設されたシート部材１３により形成されていることから、布等のカバーにより上記袋本体部３０を被覆する場合に比べて、上記袋本体部３０が嵩張ることを防止することができる。
【００５０】
その結果、持ち運びに適した扱いやすい糞尿袋を提供することができる。
【００５１】
図１乃至図４に示すように、上記シート部材１３は上記袋本体部３０の表面部と同一の形状に形成され、上記開放部１２は上記シート部材１３の一部により形成されていることから、袋本体部３０の表面は上記シート部材１３により完全に被覆され、内容物が視認されることを完全に防ぐことができる。
【００５２】
その結果、より他人に糞尿袋の内容物を視認され難くなるので、着用者の抱く不快感を軽減することができる糞尿袋を提供することができる。
【００５３】
図１乃至図４に示すように、上記袋本体部３０には、上記開放部１２の端部１４を上記袋本体部に着脱可能に固定しうる固定部１５を備えていることから、
上記開放部１２が不意に捲れ、意図せず内容物が視認されることを防止することができる。
【００５４】
図１乃至図３に示すように、上記固定部１５は、上記開放部１２と対向するフラップ状の固定片１６であることから、簡易な構成により、上記開放部１２が不意に捲れ、意図せず内容物が視認されることを防止することができる。
【００５５】
図１乃至図４に示すように、袋本体部３０は平面略長方形状に形成され、上記開放部１２は長さ方向一端部に形成され、上記開放部１２により被覆された視認部１７には、上記袋本体部３０の長さ方向に沿って目盛１８が設けられると共に、幅方向端部には少量の内容物を計測しうる斜線目盛１９が設けられていることから、開放部１２を開放状態として、内容物を観察する場合、上記目盛１８により内容物の量を計測できる。また、内容物が少量で上記目盛１８により内容物の量を計測し難い場合でも、袋本体１０を傾け、斜線目盛１９を読み取ることにより、少量の内容物も計測することができる。
【００５６】
その結果、袋内部の内容物の観察を容易にできる糞尿袋を提供することができる。
【００５７】
図２及び図４に示すように、上記目盛１８は、上記袋本体部３０に対して水平であり、上記視認部１７の幅方向の長さ寸法Ｌと同一の長さ寸法を有することから、上記袋本体部３０が水平に設置されていない場合には、内部に充填された内容物、特に、尿の上面が上記目盛１８と水平になっていないことが視認できるので、上記袋本体部３０が水平状態か否か容易に確認できる。
【００５８】
図２及び図４に示すように、本実施の形態に係る糞尿袋１０においては、上記斜線目盛１９は視認部１７の右角端部２１に設けられていることから、内容物が少量で上記目盛１８により内容物の量を計測し難い場合でも、袋本体１０を右に傾け、斜線目盛１９を読み取ることにより、少量の内容物も計測することができる。
【００５９】
図４に示すように、本実施の形態に係る糞尿袋１０においては、上記固定部１５は、粘着性のある物質を塗布した粘着固定部２２を備えていることから、上記開放部１２が不意に捲れ、意図せず内容物が視認されることを防止することができる。
【００６０】
図５は本考案に係る糞尿袋の第二の実施の形態を示す。上記第一の実施の形態に係る糞尿袋１０と同一の構成部分は同一符号を付してその説明を省略する。
【００６１】
図５に示すように、本実施の形態に係る糞尿袋４０においては、上記袋本体部３０に、ゴムからなるカテーテル２３、及び、ビニ−ルからなる管２４により構成された管部２５が接続固定されている。
【００６２】
図５に示すように、上記管２４は、上記管２４の内部を通過する内容物の視認を妨げる布カバー２６で被覆されている。なお、布カバー以外にも有色ビニ−ル等で被覆してもよい。
【００６３】
図５に示すように、上記布カバー２６は、一方の端部２６aを、カテーテル２３端部で締め付け固定されており、他方の端部２６ｂは固定されていないので、上記布カバー２６を捲り上げることができる構成となっている。
【００６４】
図５に示すように、上記管部２５の糞尿袋４０寄りの端部２７には、印刷処理により形成された濃色部２８が設けられている。
【００６５】
図５に示すように、本実施の形態に係る糞尿袋４０の下端部略中央には、クランプ３４を有する排尿管２９が設けられている。
【００６６】
図５に示した上記排尿管２９は、一方の端部２９aにおいて上記袋本体部３０の内部と連通しており、他方の端部２９ｂから排尿する構成となっている。
【００６７】
図５に示すように、糞尿袋４０には、上記排尿管２９の端部２９ｂを挿入し、端部２９ｂを係止しうる孔(図示せず)を有する収納部３５が設けられている。
【００６８】
図５に示した上記排尿管２９は可撓性を有している。
【００６９】
図５に示すクランプ３４は、排尿管２９と同一の大きさを有する孔部(図示せず)と、上記孔部(図示せず)に連設して設けられ、排尿管２９よりも狭小な大きさを有する細長孔部(図示せず)とを備えている。
【００７０】
上記孔部(図示せず)は、クランプ３４の上方向に設けられ、上記細長孔部(図示せず)は、上記孔部下方向に設けられている。
【００７１】
図５に示すように、上記排尿管２９には、印刷処理により形成された濃色部３１及び淡色部３２からなる縞模様３３が設けられている。
【００７２】
以下、添付図面に示す第二の実施の形態に基づき、本考案に係る糞尿袋の作用について説明する。
【００７３】
図５に示すように、本実施の形態に係る糞尿袋４０においては、上記袋本体部３０に、ゴムからなるカテーテル２３、及び、ビニ−ルからなる管２４により構成された管部２５が接続固定されていることから、カテーテル２３を着用者の下腹部に装着し、排尿をする場合、排泄された尿を上記袋本体部３０の内部に導尿することができる。
【００７４】
図５に示すように、カテーテル２３は非透明なゴムからなるので、上記カテーテル２３の内部を通過する内容物の視認を妨げることができる
【００７５】
図５に示すように、上記布カバー２６は、一方の端部２６aを、カテーテル２３端部で締め付け固定されており、他方の端部２６ｂは固定されていないので、上記布カバー２６を捲り上げることができることから、上記管２４の内部を通過する内容物の視認を妨げることができると共に、必要時には、内容物を観察することができる。
【００７６】
図５に示すように、上記管部２５の糞尿袋４０寄りの端部２７には、濃色部２８が設けられていることから、移動に伴い、上記布カバー２６が揺動しても、上記管２４の内部を通過する内容物が視認されることがない。
【００７７】
図５に示した上記排尿管２９は、可撓性を有していることから、排尿される方向を自在に操作でき、排尿作業を容易に行うことができる。
【００７８】
図５に示すように、糞尿袋４０には、上記排尿管２９の端部２９ｂを収納する収納部３５が設けられていることから、上記端部２９ｂを上記収納部３５に収納させることで、上記排尿管２９が垂れ下がることを防止することができる。
【００７９】
図５に示した上記排尿管２９は、可撓性を有していることから、上記端部２９ｂを収納部３５に収納すること及び収納部３５から上記端部２９ｂを取り出すことが容易となる。
【００８０】
図５に示すように、排尿管２９はクランプ３４を有することから、上記排尿管２９を上記クランプ３４の孔部(図示せず)に挿通させた状態では、上記排尿管２９は締め付けられず、上記排尿管２９から排尿することができる。上記排尿管２９を上記クランプ３４の上記細長孔部(図示せず)に挿通させた状態では、上記排尿管２９は締め付けられ、上記排尿管２９から排尿することができない状態となり、排尿管２９から尿が漏れることを確実に防止することができる。
【００８１】
図５に示す本実施の形態に係る糞尿袋４０において、排尿する場合には、上記排尿管２９を上記クランプ３４の孔部(図示せず)に挿通させ、上記端部２９ｂを収納部３５から取り出し、上記端部２９ｂから排尿を行う。
【００８２】
図５に示すように、上記排尿管２９は、上記縞模様３３を有することから、遠方からは排尿管２９の内部を通過する内容物の視認をし難くすることができると共に、至近距離からは上記淡色部３２から内容物の視認ができるため、排尿時に、内容物をこぼすことを防止することができる。
【産業上の利用可能性】
【００８３】
本製品は、尿や糞を溜めておくための容器に適用可能である。
【符号の説明】
【００８４】
１０  第一の実施の形態における糞尿袋
１１  被覆部
１２  開放部
１３  シート部材
１４  開放部の端部
１５  固定部
１６  固定片
１７  視認部
１８  目盛
１８a 太い目盛
１８b 細い目盛
１９  斜線目盛
２０  袋本体部の長さ方向一端部
２０a 袋本体部の長さ方向右端部
２１  視認部の右角端部
２２  粘着固定部
２３  カテーテル
２４  ビニ−ル管
２５  管部
２６  カバー
２７  端部
２８  管部の濃色部
２９  排尿管
３０  袋本体部
３１  排尿管の濃色部
３２  排尿管の淡色部
３３  縞模様
３４  クランプ
３５  収納部
４０  第二の実施の形態における糞尿袋
【図１】
0003175719.tif 000003
【図２】
0003175719.tif 000004
【図３】
0003175719.tif 000005
【図４】
0003175719.tif 000006
【図５】
0003175719.tif 000007